(57)【特許請求の範囲】
【請求項１】
文字板上の指針を回転駆動するムーブメントが配線基板に固定される計器のムーブメント固定構造において、前記ムーブメントの電接端子と、配線基板側の接続端子とは、ムーブメントを配線基板上に設置することで嵌合接続する構成であり、前記ムーブメントと前記文字板との間に、ムーブメントに固定されるスペーサを介装し、このスペーサに、前記電接端子と接続端子とが嵌合接続された状態で、前記配線基板に形成した係合孔に係合固定される係合部を設け、前記スペーサは、文字板側から挿入される固定具により、文字板と一体でムーブメントに固定されていることを特徴とする計器のムーブメント固定構造。
【発明の詳細な説明】
【０００１】
【発明の属する技術分野】
この発明は、文字板上の指針を回転駆動するムーブメントが配線基板に固定される計器のムーブメント固定構造に関する。
【０００２】
【従来の技術】
従来、例えば自動車用計器におけるムーブメントの固定構造は、図４に示すようになっている。これは、配線基板１上に設けた光源３からの光を、計器ケース５の側壁と文字板７との間に形成した隙間Ｓを介して文字板７上に導き、これにより指針９に対して間接照明を行っている。文字板７上の数字などの意匠については、光源３からの光を文字板７の裏面から直接受けて照明される。
【０００３】
文字板７の裏面には、指針９を回転駆動させるムーブメント１１がスペーサ１３を介して配置されている。ムーブメント１１は、配線基板１上に実装されたナット部材１５に、ねじ１７を締結することで固定されている。ナット部材１５は、配線基板１上の配線パターンに接続される一方、ねじ１７は、ムーブメント１１側の電接端子に接続され、このため、ねじ１７をナット部材１５に締結することで、ムーブメント１１と配線基板１とが電気的に接続された状態となる。
【０００４】
また、ムーブメント１１を配線基板１に固定する方法として、上記したねじ１７およびナット部材１５を用いるほかに、ムーブメント１１から配線基板１に向けて突出させた電接端子を、配線基板１上の配線パターンに半田付けするものもある。
【０００５】
このようなねじあるいは半田付けによるムーブメント１１の固定構造では、固定のためのねじ１７が必要であってねじ１７の締結作業が煩雑であり、また半田付けについても作業性の悪いものとなっている。
【０００６】
これに対し、図５に示すように、配線基板１上にばね端子１９を立設し、このばね端子１９が嵌合接続する電接端子をムーブメント側に設け、これによりムーブメントの配線基板１への電気的接続を容易にしたものがある。ばね端子１９は、導体からなる線材をコイルスプリングの如く渦巻き状に巻回したもので、先端側が、例えば図５中で矢印Ａで示す方向に揺動するなど弾性変形しやすいものとなっている。
【０００７】
【発明が解決しようとする課題】
ところで、この場合のばね端子１９は、ムーブメント側と電気的接続を目的とするものであることから、嵌合作業を容易にするため弾性変形しやすい構造であり、このままではムーブメントの配線基板１への固定が不充分となる。このため、ムーブメントを配線基板１に固定する他の方法が新たに必要となる。例えば、図４に示したスペーサ１３に、配線基板１に向けて突出する固定用の脚を設け、この脚の先端を、計器ケース５の底面から配線基板１を貫通してムーブメント側に突出させた固定用ボス部に、ねじ止めするなどの工夫が必要となる。
【０００８】
したがって、ばね端子１９を用いることで、ムーブメントを固定するねじ１７を廃止するか、あるいは半田付け作業を廃止しても、新たなねじ止め作業が必要となって作業性の向上が得られない。
【０００９】
そこで、この発明は、ムーブメントの配線基板への固定作業を容易なものとすることを目的としている。
【００１０】
【課題を解決するための手段】
前記目的を達成するために、請求項１の発明は、文字板上の指針を回転駆動するムーブメントが配線基板に固定される計器のムーブメント固定構造において、前記ムーブメントの電接端子と、配線基板側の接続端子とは、ムーブメントを配線基板上に設置することで嵌合接続する構成であり、前記ムーブメントと前記文字板との間に、ムーブメントに固定されるスペーサを介装し、このスペーサに、前記電接端子と接続端子とが嵌合接続された状態で、前記配線基板に形成した係合孔に係合固定される係合部を設け、前記スペーサは、文字板側から挿入される固定具により、文字板と一体でムーブメントに固定されている構成としてある。
【００１１】
このような構成の計器のムーブメント固定構造によれば、ムーブメントの電接端子と配線基板側の接続端子とを嵌合接続しつつ、ムーブメント側のスペーサの係合部を配線基板側の係合孔に係合固定することで、ムーブメントは配線基板に固定される。この際ムーブメントは、文字板側から挿入される固定具により、文字板とともにスペーサに固定されている。
【００１８】
【発明の実施の形態】
以下、この発明の実施の形態を図面に基づき説明する。
【００１９】
図１は、この発明の実施の一形態を示す計器のムーブメント固定構造を備えた自動車用計器の要部の分解斜視図である。計器ケース２１の裏面にはプリント配線基板２３が装着され、このプリント配線基板２３を覆うように計器ケース２１の裏面側には裏カバー２５が装着されている。
【００２０】
計器ケース２１の表面側には、指針２７を備えた文字板２９が装着されるとともに、図示しない見返しおよび表ガラスがそれぞれ装着される。図２は、図１に示した文字板２９の裏側から見た斜視図で、指針２７を駆動するムーブメント３１が設けられている。
【００２１】
ムーブメント３１は、図示しないコイルが巻かれたボビンを収容するボビンケース３３の外周に、環状のケースカバー３５が装着されている。ケースカバー３５は、外周部に係止爪３５ａを有し、文字板２９と反対側からボビンケース３３に嵌め込むことで、係止爪３５ａがボビンと一体の係止部３７に係止して固定される。上記係止爪３５ａおよび係止部３７と反対側の図に示されていない部位については、ケースカバー３５側の係止爪が、ボビンケース３３に係止されている。
【００２２】
上記係止部３７が一体のボビンには、ムーブメント３１の電接端子３９を収容する端子収容部４１がボビンケース３３の外部に突出して設けられている。端子収容部４１に対応してケースカバー３５の外周部には、プリント配線基板２３に実装されている接続端子としての前記図５に示したものと同様なばね端子４３をガイドする端子ガイド部４５が形成されている。ムーブメント３１を計器ケース２１側にセットする際に、ばね端子４３が端子ガイド部４５にガイドされて端子ガイド部４５を貫通し、電接端子３９に接続される。
【００２３】
文字板２９の裏面には、スペーサ４７が、文字板２９の表面から挿入される２本のねじ４９によって固定されている。スペーサ４７は、上記端子ガイド部４５の両側方に位置してプリント配線基板１５に形成した係合孔２３ａに係合する係合脚５１を備えている。
【００２４】
係合脚５１の先端には、係合爪５３ａと係合突起５３ｂとを備えた係合部５３が形成され、係合爪５３ａが係合孔２３ａに挿入されてプリント配線基板２３の裏面側に突出した状態で、係合突起５３ｂがプリント配線基板２３の表面側に位置し、これによりスペーサ４７はプリント配線基板２３に固定される。
【００２５】
相互に対向する２本の係合脚５１の基端部は結合部５５にて結合され、この結合部５５に前記ねじ４９が挿入され、上記結合部５５の文字板２９と反対側の面には、ムーブメント３１の端子収容部４１付近におけるボビンの一部が当接し、このボビンの一部に、上記挿入されたねじ４９をねじ込むことで、ムーブメント３１がスペーサ４７とともに文字板２９に固定される。
【００２６】
また、上記スペーサ４７の結合部５５の端子収容部４１側には、位置決めピン５７が突出して設けられ、この位置決めピン５７が、端子収容部４１付近のボビンに形成した位置決め孔に挿入されることで、スペーサ４７とムーブメント３１側との位置決めがなされる。
【００２７】
計器ケース２１には、ムーブメント３１に対応する貫通孔５９が形成され、貫通孔５９には、ムーブメント３１をセットする際のガイドとなる３つのガイド壁６１が形成されている。３つのガイド壁６１は、ムーブメント３１側の端子ガイド部４５や係合脚５１などとの干渉を避けるために円周方向所定位置に配置されている。
【００２８】
また、プリント配線基板２３上には、照明用光源としてのバルブ６３が取り付けられており、このバルブ６３は、計器ケース２１の前記貫通孔５９に連続する開口部６５によって文字板２９側に露出している。そして、このバルブ６３から照射される光は、前記図４に示した従来のものと同様に、計器ケース２１の側壁と文字板２９との間の隙間から文字板２９の表面側へ導かれて指針２７に対し、間接照明を行う。文字板２９上の意匠については、バルブ６３の光が文字板２９の裏面から直接照射されることで照明される。
【００２９】
図３は、ムーブメント３１をプリント配線基板２３に固定した状態を示す要部の断面図である。ここで、スペーサ４７を介して文字板２９に装着されたムーブメント３１は、スペーサ４７の係合脚５１先端の係合爪５３ａをプリント配線基板２３の係合孔２３ａに挿入してプリント配線基板２３の裏面側に突出させることで、係合爪５３ａと係合突起５３ｂとの間にプリント配線基板２３が位置し、係合部５３と係合孔２３ａとが係合状態となる。これにより、ムーブメント３１はスペーサ４７を介してプリント配線基板２３に固定されることとなる。
【００３０】
この固定作業時には、プリント配線基板２３側のばね端子４３は、端子ガイド部４５にガイドされて端子収容部４１側に突出し電接端子３９に接続される。
【００３１】
上記したように、ムーブメント３１をプリント配線基板２３に固定する作業は、スペーサ４７に設けた係合部５３を、プリント配線基板２３側の係合孔２３ａにの係合させるだけでよく、このため、従来使用していた固定用のねじが不要となり、また半田付け作業の必要もなく、極めて容易なものとなる。
【００３２】
また、上記指針２７に対する間接照明構造におけるスペーサ４７は、指針に対する直接照明構造に使用されるプリズムに代わるものであり、かつムーブメント３１を固定するためのものであることから、ムーブメント３１が同形状のものであれば、図１に示した回転計のほかに速度計や燃料計などにも同様のスペーサ４７を使用でき、部品共通化によるコスト低下が達成される。
【００３３】
【発明の効果】
以上説明してきたように、請求項１の発明によれば、ムーブメントの電接端子と配線基板側の接続端子とを嵌合接続しつつ、ムーブメント側のスペーサの係合部を配線基板側の係合孔に係合することで、ムーブメントはスペーサを介して配線基板に固定されるので、ムーブメントの配線基板への固定作業が極めて容易なものとなる。また、文字板と一体でムーブメントに固定されたスペーサにより、ムーブメントを配線基板に容易に固定することができる。
【図面の簡単な説明】
【図１】この発明の実施の一形態を示す計器のムーブメント固定構造を備えた自動車用計器の要部の分解斜視図である。
【図２】図１に示した文字板の裏側から見た斜視図である。
【図３】図１および図２の固定構造におけるムーブメントをプリント配線基板に固定した状態を示す要部の断面図である。
【図４】従来のムーブメント固定構造を示す断面図である。
【図５】ムーブメントの電接端子に接続される配線基板側のばね端子の正面図である。
【符号の説明】
２１  計器ケース
２３  プリント配線基板（配線基板）
２３ａ  係合孔
２７  指針
２９  文字板
３１  ムーブメント
３９  電接端子
４３  ばね端子（接続端子）
４７  スペーサ
５３  係合部
５３ａ  係合爪
５３ｂ  係合突起
６３  バルブ（光源）
【図１】
0003540173.tif 000002
【図２】
0003540173.tif 000003
【図３】
0003540173.tif 000004
【図４】
0003540173.tif 000005
【図５】
0003540173.tif 000006